(57)【要約】【課題】ダイレクトコンバージョン方式の受信回路において、ＤＣオフセットキャンセル動作に要する時間を延ばすこと無く、確実にＤＣオフセットキャンセルを行う。【解決手段】受信回路は、受信信号を差動増幅するＬＮＡ３と、第１の局部発振信号を発生するローカル回路１７と、差動増幅された受信信号と第１の局部発振信号とを混合することにより受信信号をベースバンド信号に周波数変換する混合器４と、それぞれ差動動作しかつ互いに多段接続されたＬＰＦ７，９，１１及びＧＣＡ８，１０，１２と、ＲＦＩＣコントローラ１９とを備える。ＲＦＩＣコントローラ１９はＧＣＡ８，１０の直流オフセットキャンセル動作中、ローカル回路１７を制御することによって受信信号をベースバンド信号に周波数変換することを中止し、ＧＣＡ１２の直流オフセットキャンセル動作中、ローカル回路１７を制御することによって受信信号をベースバンド信号に周波数変換する。【選択図】図１
2009033394.tif 000002
【特許請求の範囲】
【請求項１】
受信信号を差動増幅する差動増幅回路と、
第１の局部発振信号を発生して出力するローカル回路と、
前記差動増幅された受信信号と前記第１の局部発振信号とを混合することにより前記受信信号をベースバンド信号に周波数変換する混合器と、
前記混合器に接続され、それぞれ差動動作しかつ互いに多段接続された複数の低域通過フィルタ及び複数の利得制御増幅器とを備えた受信回路において、
前記複数の利得制御増幅器は、前段の利得制御増幅器と、後段の利得制御増幅器とを含み、
前記前段の利得制御増幅器の直流オフセットキャンセル動作中、前記ローカル回路を制御することによって前記受信信号をベースバンド信号に周波数変換することを中止する一方、前記後段の利得制御増幅器の直流オフセットキャンセル動作中、前記ローカル回路を制御することによって前記受信信号を前記ベースバンド信号に周波数変換する制御手段を備えたことを特徴とする受信回路。
【請求項２】
前記制御手段は、前記ローカル回路を非動作状態に切り替えるように制御することによって、前記受信信号を前記ベースバンド信号に周波数変換することを中止し、前記ローカル回路を動作状態に切り替えることによって、前記受信信号を前記ベースバンド信号に周波数変換することを特徴とする請求項１記載の受信回路。
【請求項３】
前記ローカル回路は、前記混合器への前記第１の局部発振信号を遮断又は通過させるための第１のスイッチをさらに備え、
前記制御手段は、前記混合器への前記第１の局部発振信号を遮断するように前記第１のスイッチを制御することによって、前記受信信号を前記ベースバンド信号に周波数変換することを中止し、前記混合器へ前記第１の局部発振信号を通過させるように前記第１のスイッチを制御することによって、前記受信信号を前記ベースバンド信号に周波数変換することを特徴とする請求項１記載の受信回路。
【請求項４】
前記ローカル回路は、第１の局部発振信号の局部発振周波数を、第１の局部発振周波数と、前記第１の局部発振周波数とは異なる第２の局部発振周波数とのうちの１つの局部発振周波数を選択して設定するように選択的に切り替え、
前記制御手段は、前記ローカル回路を前記第２の局部発振周波数を有する局部発振信号を発生させるように制御することによって、前記受信信号を前記ベースバンド信号に周波数変換することを中止し、前記ローカル回路に前記第１の局部発振周波数を有する局部発振信号を発生させるように制御することによって、前記受信信号を前記ベースバンド信号に周波数変換することを特徴とする請求項１記載の受信回路。
【請求項５】
前記ローカル回路は、前記第１の局部発振信号の局部発振周波数とは異なる局部発振周波数を有する第２の局部発振信号をさらに発生して出力し、
前記受信回路は、
前記増幅された受信信号と第２の局部発振信号とを混合することにより前記受信信号をベースバンド信号に周波数変換する第２の混合器と、
前記第２の混合器に多段接続された複数の第２の低域通過フィルタ及び複数の第２の利得制御増幅器とをさらに備え、
前記制御手段は、前記混合器に前記第２の局部発振信号が入力されかつ前記第２の混合器に前記第１の局部発振信号が入力されるように前記ローカル回路を制御することによって、前記受信信号を前記ベースバンド信号に周波数変換することを中止し、前記混合器に前記第１の局部発振信号が入力されかつ前記第２の混合器に前記第２の局部発振信号が入力されるように前記ローカル回路を制御することによって、前記受信信号を前記ベースバンド信号に周波数変換することを特徴とする請求項１記載の受信回路。
【請求項６】
請求項１乃至５のうちのいずれか１つに記載の受信回路を備えたことを特徴とする半導体装置。
【請求項７】
請求項６記載の半導体装置を備えたことを特徴とする半導体モジュール。
【請求項８】
請求項７記載の半導体装置を備えたことを特徴とする無線通信装置。
【発明の詳細な説明】
【技術分野】
【０００１】
本発明は、受信回路及びそれを備えた半導体装置、半導体モジュール並びに無線通信装置に関し、特に、ダイレクトコンバージョン方式の受信回路及びそれを備えた半導体装置、半導体モジュール並びに無線通信装置に関する。
【背景技術】
【０００２】
携帯電話等の無線通信受信回路において、受信信号の周波数変換を行う手法としてスーパーへテロダイン方式、ダイレクトコンバージョン方式等がある。スーパーへテロダイン方式は、受信信号を一旦中間周波数の信号に周波数変換してからベースバンド信号に周波数変換する方式であり、ダイレクトコンバージョン方式は、受信信号をベースバンド信号に直接周波数変換する方式である。ダイレクトコンバージョン方式では、受信信号を高周波増幅回路により増幅した後、混合器で受信信号とローカル信号とを合成することによって、ベースバンド信号への周波数変換を行う。その後、利得制御増幅器によりベースバンド信号の電圧振幅調整をし、ベースバンド処理を行なうベースバンドＬＳＩに出力される。このようなダイレクトコンバージョン方式は、スーパーへテロダイン方式と比較して、中間周波数への周波数変換を行う必要が無いことから、回路面積を削減でき、受信回路を小型化及び低コスト化できるという利点がある。
【０００３】
しかし、ダイレクトコンバージョン方式においては、局部発振回路の漏れ電流等に起因して直流オフセット電圧（以下、ＤＣオフセット電圧という。）が発生することによって、ビットエラーレートの劣化、Ａ／Ｄ変換器のダイナミックレンジの減少等を引き起こし、受信信号品質の劣化につながるという問題点があった。特許文献１に、このＤＣオフセット電圧を抑圧するための従来例に係る通信用半導体集積回路が開示されている。従来例に係る通信用半導体集積回路は、受信信号を増幅する差動増幅回路と、増幅された受信信号と所定の周波数の発振信号とを合成して周波数変換を行なう混合器と、複数の利得可変増幅器と受信信号の雑音及び不要波を除去する複数のフィルタ回路が多段に接続されてなり受信信号のレベルに応じて増幅率が可変できるように構成された高利得の増幅回路とを備えたダイレクトコンバージョン方式の受信回路において、低雑音増幅器を非動作状態にして高利得増幅回路の前段側の利得可変増幅器のＤＣオフセットキャンセル動作を実行した後に、低雑音増幅器を動作状態にして最終段の利得可変増幅器のＤＣオフセットキャンセル動作を実行可能に構成した。
【０００４】
【特許文献１】特開２００５−１１００８０号公報。
【発明の開示】
【発明が解決しようとする課題】
【０００５】
しかしながら、上記従来例に係る通信用半導体集積回路では、最終段の利得可変増幅器のＤＣオフセットキャンセル実行時に低雑音増幅器を非動作状態から動作状態に切り替えるとき、低雑音増幅器の回路電流が急激に変化して低雑音増幅器の電源が過渡的に変動することがあった。これにより、ＤＣオフセット電圧も過渡的に変動し、最終段の利得可変増幅器のＤＣオフセットキャンセル動作時に、過渡的に変動しているＤＣオフセット電圧をキャンセルできず、ＤＣオフセットキャンセルが誤動作するという問題点があった。この対策として、低雑音増幅器を非動作状態から動作状態に切り替えてから、最終段の利得可変増幅器のＤＣオフセットキャンセルを実行するまでの期間を、低雑音増幅器の回路電流の変動が収まるのに十分なだけ長くすることも考え得るが、その場合、ＤＣオフセットキャンセル動作に要する時間が長くなり、受信品質の劣化につながる可能性がある。
【０００６】
本発明の目的は、以上の問題点を解決し、ダイレクトコンバージョン方式の受信回路において、ＤＣオフセットキャンセル動作に要する時間を延ばすこと無く、確実にＤＣオフセットキャンセルを行う受信回路及びそれを備えた半導体装置、半導体モジュール並びに無線通信装置を提供することにある。
【課題を解決するための手段】
【０００７】
第１の発明に係る受信回路は、受信信号を差動増幅する差動増幅回路と、第１の局部発振信号を発生して出力するローカル回路と、前記差動増幅された受信信号と前記第１の局部発振信号とを混合することにより前記受信信号をベースバンド信号に周波数変換する混合器と、前記混合器に接続され、それぞれ差動動作しかつ互いに多段接続された複数の低域通過フィルタ及び複数の利得制御増幅器とを備えた受信回路において、前記複数の利得制御増幅器は、前段の利得制御増幅器と、後段の利得制御増幅器とを含み、前記前段の利得制御増幅器の直流オフセットキャンセル動作中、前記ローカル回路を制御することによって前記受信信号をベースバンド信号に周波数変換することを中止する一方、前記後段の利得制御増幅器の直流オフセットキャンセル動作中、前記ローカル回路を制御することによって前記受信信号を前記ベースバンド信号に周波数変換する制御手段を備えたことを特徴とする。
【０００８】
上記受信回路において、前記制御手段は、前記ローカル回路を非動作状態に切り替えるように制御することによって、前記受信信号を前記ベースバンド信号に周波数変換することを中止し、前記ローカル回路を動作状態に切り替えることによって、前記受信信号を前記ベースバンド信号に周波数変換することを特徴とする。
【０００９】
とって代わって、上記受信回路において、前記ローカル回路は、前記混合器への前記第１の局部発振信号を遮断又は通過させるための第１のスイッチをさらに備え、前記制御手段は、前記混合器への前記第１の局部発振信号を遮断するように前記第１のスイッチを制御することによって、前記受信信号を前記ベースバンド信号に周波数変換することを中止し、前記混合器へ前記第１の局部発振信号を通過させるように前記第１のスイッチを制御することによって、前記受信信号を前記ベースバンド信号に周波数変換することを特徴とする。
【００１０】
また、とって代わって、上記受信回路において、前記ローカル回路は、第１の局部発振信号の局部発振周波数を、第１の局部発振周波数と、前記第１の局部発振周波数とは異なる第２の局部発振周波数とのうちの１つの局部発振周波数を選択して設定するように選択的に切り替え、前記制御手段は、前記ローカル回路を前記第２の局部発振周波数を有する局部発振信号を発生させるように制御することによって、前記受信信号を前記ベースバンド信号に周波数変換することを中止し、前記ローカル回路に前記第１の局部発振周波数を有する局部発振信号を発生させるように制御することによって、前記受信信号を前記ベースバンド信号に周波数変換することを特徴とする。
【００１１】
さらに、とって代わって、上記受信回路において、前記ローカル回路は、前記第１の局部発振信号の局部発振周波数とは異なる局部発振周波数を有する第２の局部発振信号をさらに発生して出力し、前記受信回路は、前記増幅された受信信号と第２の局部発振信号とを混合することにより前記受信信号をベースバンド信号に周波数変換する第２の混合器と、前記第２の混合器に多段接続された複数の第２の低域通過フィルタ及び複数の第２の利得制御増幅器とをさらに備え、前記制御手段は、前記混合器に前記第２の局部発振信号が入力されかつ前記第２の混合器に前記第１の局部発振信号が入力されるように前記ローカル回路を制御することによって、前記受信信号を前記ベースバンド信号に周波数変換することを中止し、前記混合器に前記第１の局部発振信号が入力されかつ前記第２の混合器に前記第２の局部発振信号が入力されるように前記ローカル回路を制御することによって、前記受信信号を前記ベースバンド信号に周波数変換することを特徴とする。
【００１２】
第２の発明に係る半導体装置は、上記受信回路を備えたことを特徴とする。
【００１３】
第３の発明に係る半導体モジュールは、上記半導体装置を備えたことを特徴とする。
【００１４】
第４の発明に係る無線通信装置は、上記半導体モジュールを備えたことを特徴とする。
【発明の効果】
【００１５】
本発明に係る受信回路及びそれを備えた半導体装置、半導体モジュール並びに無線通信装置によれば、前段の利得制御増幅器の直流オフセットキャンセル動作中、ローカル回路を制御することによって受信信号をベースバンド信号に周波数変換することを中止する一方、後段の利得制御増幅器の直流オフセットキャンセル動作中、ローカル回路を制御することによって受信信号をベースバンド信号に周波数変換する制御手段を備えたので、ダイレクトコンバージョン方式の受信回路において、ＤＣオフセットキャンセル動作に要する時間を延ばすこと無く、確実にＤＣオフセットキャンセルを行うことができる。
【発明を実施するための最良の形態】
【００１６】
以下、本発明に係る実施形態について図面を参照して説明する。なお、以下の各実施形態において、同様の構成要素については同一の符号を付している。
【００１７】
第１の実施形態．
図１は、本発明の第１の実施形態に係る受信回路の構成を示すブロック図である。図１において、本実施形態に係る受信回路は、例えば携帯電話等の無線通信装置に用いられるダイレクトコンバージョン方式の受信回路であって、無線通信信号を受信するアンテナ１と、アンテナ１により受信された受信信号から所望の帯域以外の妨害波信号を抑圧するＳＡＷフィルタ２と、受信信号を１対の差動信号に変換して出力するバラン５と、差動信号を処理する無線周波集積回路（以下、ＲＦＩＣという。）２０とを備えて構成される。
【００１８】
ＲＦＩＣ２０は、ローカル回路１７と、フロントエンド回路１８と、ベースバンド回路１３と、ＲＦＩＣコントローラ１９とを備えて構成される。
【００１９】
ローカル回路１７は、局部発振器２１と、分周器２２と、ローカル増幅器２３とを備えて構成される。局部発振器２１は、局部発振信号を発生して出力する。分周器２２は、局部発振器２１により発生された局部発振信号を、所定の局部発振周波数ｆ１を有するように所定の分周比で分周して出力する。ローカル増幅器２３は、分周器２２から出力された局部発振周波数ｆ１を有する局部発振信号を増幅した後、フロントエンド回路１８に出力する。また、ローカル回路１７は、電源Ｖｄｄ３に接続される。
【００２０】
フロントエンド回路１８は、低雑音増幅器（以下、ＬＮＡという。）３及び混合器４を備えて構成される。入力端子Ｔｉ１及びＴｉ２を介してバラン５から入力された１対の差動信号は、ＬＮＡ３により増幅された後、混合器４によりローカル回路１７から入力された局部発振信号とそれぞれ混合されることによってベースバンド信号に周波数変換されて出力される。また、フロントエンド回路１８は電源Ｖｄｄ１に接続される。
【００２１】
ベースバンド回路１３は、ＤＣオフセットキャンセルコントローラ６と、低域通過フィルタ（以下、ＬＰＦという。）７，９，１１と、利得制御増幅器（以下、ＧＣＡという。）８，１０，１２とを備えて構成される。ベースバンド回路１３において、フロントエンド回路１８から入力される差動信号は、それぞれ差動動作し互いに多段接続されたＬＰＦ７、ＧＣＡ８、ＬＰＦ９、ＧＣＡ１０、ＬＰＦ１１及びＧＣＡ１２を順に介して処理されて、それぞれ出力端子Ｔｏ１及びＴｏ２から出力信号Ｓｏｕｔ１及びＳｏｕｔ２（以下、総称して出力信号Ｓｏｕｔという。）として出力される。ＬＰＦ７，９，１１は、入力した信号の妨害波信号を抑圧し、ＧＣＡ８，１０，１２は受信信号のレベルに応じて入力した信号を増幅して出力することによってＤＣオフセットキャンセル動作を行う。ＤＣオフセットキャンセルコントローラ６は、ＲＦＩＣコントローラ１９からの制御信号Ｓｈに基づいて、それぞれＧＣＡ８，１０，１２のＤＣオフセットキャンセル動作のオン及びオフを制御する制御信号Ｓｇ，Ｓｆ，Ｓｅを発生して出力する。また、ベースバンド回路１３は電源Ｖｄｄ２に接続される。
【００２２】
ＲＦＩＣコントローラ１９は、外部の装置コントローラ３０からの制御信号Ｓｉに応じて、ベースバンド回路１３の動作を制御する制御信号Ｓｈと、ローカル回路１７の動作を制御する制御信号Ｓｄとを発生して、それぞれベースバンド回路１３及びローカル回路１７に出力する。
【００２３】
図２は、図１の受信回路の各部の信号を示すタイミングチャートである。図２において、出力信号Ｓｏｕｔ、電源Ｖｄｄ１及び制御信号Ｓｄ，Ｓｅ，Ｓｆ，Ｓｇ，Ｓｈ，Ｓｉの経時変化が示されている。
【００２４】
図２において、まず、電源Ｖｄｄ１が所定の電圧である状態において、装置コントローラ３０からＲＦＩＣ２０に入力される制御信号Ｓｉがロウレベルである待機状態からハイレベルである動作状態に変化した後、制御信号Ｓｈがハイレベルとなり、ＤＣオフセットキャンセルコントローラ６のＤＣオフセットキャンセルが動作する。ＤＣオフセットキャンセルコントローラ６は、ＧＣＡ８のＤＣオフセットキャンセル動作をオンにするハイレベルの制御信号Ｓｇを出力し、ＧＣＡ８のＤＣオフセットキャンセル動作終了後、ＧＣＡ１０のＤＣオフセットキャンセル動作をオンにするハイレベルの制御信号Ｓｆを出力する。ＧＣＡ８及び１０のＤＣオフセットキャンセル実行中、ＲＦＩＣコントローラ１９は、ロウレベルの制御信号Ｓｄを出力してローカル回路１７を非動作状態に維持することにより、受信信号をベースバンド信号に周波数変換しないように制御し、受信信号に含まれる妨害波信号を抑圧する（図３を参照して後述する。）。前段のＧＣＡ８及び１０のＤＣオフセットキャンセルが終了した後、ＲＦＩＣコントローラ１９は、ハイレベルの制御信号Ｓｄを出力することによりローカル回路１７を動作状態に変化させて受信信号をベースバンド信号に周波数変換するように制御し、その後、後段のＧＣＡ１２のＤＣオフセットキャンセル動作をオンにするハイレベルの制御信号Ｓｅを出力する。ＧＣＡ１２のＤＣオフセットキャンセル動作終了後、受信信号の信号処理を開始する。
【００２５】
後段のＧＣＡ１２のＤＣオフセットキャンセル実行時、ＬＮＡ３は、ＤＣオフセットキャンセル実行中は常に動作状態に維持されるので、フロントエンド回路１８の電源Ｖｄｄ１に過渡変動が起こらない。ローカル回路１７の状態の切り替えによってローカル回路１７の電源Ｖｄｄ３に過渡変動が起こる可能性はあるが、ローカル回路１７の電源Ｖｄｄ３とフロントエンド回路１８の電源Ｖｄｄ１とは互いに分離されているため、フロントエンド回路１８の電源Ｖｄｄ１及びＤＣオフセット電圧に影響を及ぼすことはない。
【００２６】
図３は、図１のローカル回路１７が非動作状態に制御されている場合における、図１の受信回路の各部における妨害波信号の周波数及び電力の関係を示す、妨害波信号のレベルダイヤのイメージ図である。図３において、フロントエンド回路１８への入力信号と、ＬＰＦ７への入力信号と、ＧＣＡ８への入力信号の妨害波信号の周波数及び電力の関係が示されている。ここで、妨害波信号の周波数をｆｉとし、受信したい所望の無線信号の周波数を、分周器２２からの局部発振信号の局部発振周波数ｆ１と同じ周波数ｆ１とする。周波数ｆ１と周波数ｆｉとは互いに異なる。図３において、ＧＣＡ８及び１０のＤＣオフセットキャンセル実行中、ローカル回路１７が非動作状態に維持されるため、妨害波信号は混合器４でベースバンド信号に周波数変換されずにＬＮＡ３からの信号がそのままの周波数ｆｉでＬＰＦ７に入力される。ここで、妨害波信号の周波数ｆｉが例えば約８００ＭＨｚ〜２ＧＨｚであり、ＬＰＦ７のカットオフ周波数が数百ｋＨｚである場合、ＬＰＦ７により妨害波信号は十分に減衰される。そのため、ＧＣＡ８には非常に小さなレベルに減衰された妨害波信号しか入ってこないため、ＧＣＡ８のＤＣオフセットキャンセル動作に影響は及ぼさない。ＧＣＡ８の出力信号は、さらにＬＰＦ９により減衰された後ＧＣＡ１０に入力されるが、同様に十分に減衰されているためＧＣＡ１０のＤＣオフセットキャンセル動作に影響は及ぼさない。ＬＮＡ３は常に動作状態に維持され、ローカル回路１７を非動作状態にすることで、妨害波信号を遮断することができる。
【００２７】
図１２は本実施形態に係る受信回路を備えた無線通信装置の構成を示すブロック図である。図１２において、無線通信装置は、アンテナ１と、ＳＡＷフィルタ２と、バラン５と、ＲＦＩＣ２０と、復調器４８と、装置コントローラ３０と、デュプレクサ４０と、送信信号を増幅する電力増幅器４１と、所望の帯域以外の妨害波信号を抑圧する送信フィルタ４２と、送信信号のレベルを可変する利得制御増幅器４３と、それぞれ送信ベースバンド処理回路４７からの信号と送信ローカル回路４６からの局部発振信号とを混合することにより周波数変換する混合器４４及び４５と、局部発振信号を発生して出力する送信ローカル部４６と、送信ベースバンド処理部４７とを備えて構成される。無線通信装置は、アンテナ１により受信した無線受信信号をデュプレクサ４０、ＳＡＷフィルタ２及びバラン５を介してＲＦＩＣ２０により処理し、復調器４８により復調して出力する。また、無線通信装置は、送信ベースバンド処理回路４７により発生されて出力される送信Ｉ信号及び送信Ｑ信号を、それぞれ混合器４４及び４５により送信ローカル回路４６からの局部発振信号と混合することによって周波数変換した後、利得制御増幅器４３と、送信フィルタ４２と、電力増幅器４１と、デュプレクサ４０とを介してアンテナ１から無線送信する。
【００２８】
以上説明したように、本実施形態に係る受信回路によれば、ＤＣオフセットキャンセル動作において、ＧＣＡ８及び１０のＤＣオフセットキャンセル動作時、ローカル回路１７を非動作状態にすることによって、受信信号をベースバンド信号に周波数変換することを中止し、ＧＣＡ１２のＤＣオフセットキャンセル動作時、ローカル回路１７を動作状態にすることによって、受信信号をベースバンド信号に周波数変換し、それにより、ダイレクトコンバージョン方式の受信回路において、ＤＣオフセットキャンセル動作に要する時間を延ばすこと無く、確実にＤＣオフセットキャンセルを行うことができ、本実施形態に係る受信回路を無線通信装置に用いた場合は、ビットエラーレート及びＡ／Ｄ変換器のダイナミックレンジを向上させることができ、信号の受信品質を高めることができる。
【００２９】
第２の実施形態．
図４は、本発明の第２の実施形態に係る受信回路の構成を示すブロック図である。本実施形態に係る受信回路は、図１に示した実施形態１に係る受信回路と比較して、ＲＦＩＣ２０に代えてＲＦＩＣ２０Ａを備えた点が異なる。ＲＦＩＣ２０Ａは、図１のＲＦＩＣ２０と比較して、ローカル回路１７に代えてローカル回路１７Ａを備えた点、及び、ＲＦＩＣコントローラ１９に代えてＲＦＩＣコントローラ１９Ａを備えた点が異なる。それ以外の点については、本実施形態に係る受信回路は、実施形態１に係る受信回路と同様の構成を有し、同一符号を付した構成要素についての重複した説明は省略する。
【００３０】
図４において、ローカル回路１７Ａは、図１のローカル回路１７と比較して、ローカル増幅器２３とフロントエンド回路１８との間に接続されたスイッチ２４をさらに備えた点が異なる。スイッチ２４は、ＲＦＩＣコントローラ１９Ａからの制御信号Ｓｊによりオン及びオフを制御され、オンのとき、ローカル増幅器２３から出力される１対の差動信号配線間をショートさせ、ローカル増幅器２３から混合器４への局部発振信号が遮断される一方、オフのとき、ローカル増幅器２３から混合器４への局部発振信号が通過される。
【００３１】
図５は、図４の受信回路の各部の信号を示すタイミングチャートである。図５において、出力信号Ｓｏｕｔ、電源Ｖｄｄ１及び制御信号Ｓｊ，Ｓｅ，Ｓｆ，Ｓｇ，Ｓｈ，Ｓｉの経時変化が示されている。
【００３２】
図５において、まず、電源Ｖｄｄ１が所定の電圧である状態において、装置コントローラ３０からＲＦＩＣ２０Ａに入力される制御信号Ｓｉがロウレベルである待機状態からハイレベルである動作状態に変化した後、制御信号Ｓｈがハイレベルとなり、ＤＣオフセットキャンセルコントローラ６のＤＣオフセットキャンセルが動作する。ＤＣオフセットキャンセルコントローラ６は、ＧＣＡ８のＤＣオフセットキャンセル動作をオンにするハイレベルの制御信号Ｓｇを出力し、ＧＣＡ８のＤＣオフセットキャンセル動作終了後、ＧＣＡ１０のＤＣオフセットキャンセル動作をオンにするハイレベルの制御信号Ｓｆを出力する。ＧＣＡ８及び１０のＤＣオフセットキャンセル実行中、ＲＦＩＣコントローラ１９Ａは、ロウレベルの制御信号Ｓｊを出力してスイッチ２４をオン状態に維持してローカル回路２３から混合器４への局部発振信号を遮断することにより、受信信号をベースバンド信号に周波数変換しないように制御し、受信信号に含まれる妨害波信号を抑圧する（図３を参照して後述する。）。前段のＧＣＡ８及び１０のＤＣオフセットキャンセルが終了した後、ＲＦＩＣコントローラ１９Ａは、ハイレベルの制御信号Ｓｊを出力することによりスイッチ２４をオフ状態にしてローカル回路２３から混合器４への局部発振信号を通過させて受信信号をベースバンド信号に周波数変換するように制御し、その後、後段のＧＣＡ１２のＤＣオフセットキャンセル動作をオンにするハイレベルの制御信号Ｓｅを出力する。ＧＣＡ１２のＤＣオフセットキャンセル動作終了後、受信信号の信号処理を開始する。
【００３３】
後段のＧＣＡ１２のＤＣオフセットキャンセル実行時、ＬＮＡ３は、ＤＣオフセットキャンセル実行中は常に動作状態に維持されるので、フロントエンド回路１８の電源Ｖｄｄ１に過渡変動が起こらず、ＤＣオフセット電圧に影響を及ぼすこともない。
【００３４】
再度図３を参照する。図３は、図４のローカル回路１７Ａのスイッチ２４がオン状態に制御されている場合における、図４の受信回路の各部における妨害波信号の周波数及び電力の関係を示す、妨害波信号のレベルダイヤのイメージ図である。図３において、フロントエンド回路１８への入力信号と、ＬＰＦ７への入力信号と、ＧＣＡ８への入力信号の妨害波信号の周波数及び電力の関係が示されている。ここで、妨害波信号の周波数をｆｉとし、受信したい所望の無線信号の周波数を、分周器２２からの局部発振信号の局部発振周波数ｆ１と同じ周波数ｆ１とする。周波数ｆ１と周波数ｆｉとは互いに異なる。図３において、ＧＣＡ８及び１０のＤＣオフセットキャンセル実行中、ローカル回路１７Ａのスイッチ２４がオン状態に維持されてローカル回路２３から混合器４への局部発振信号が遮断されるため、妨害波信号は混合器４でベースバンド信号に周波数変換されずにそのままの周波数ｆｉでＬＰＦ７に入力される。従って、ＬＰＦ７及び９により妨害波信号は十分に減衰され、ＧＣＡ８及びＧＣＡ１０のＤＣオフセットキャンセル動作に影響を及ぼさない。ＬＮＡ３は常に動作状態に維持され、ローカル回路１７Ａのスイッチ２４をオン状態にすることで、妨害波信号を遮断することができる。
【００３５】
以上説明したように、本実施形態に係る受信回路によれば、ＤＣオフセットキャンセル動作において、ＧＣＡ８及びＧＣＡ１０のＤＣオフセットキャンセル動作時、ローカル回路１７Ａのスイッチ２４をオン状態にすることによって、受信信号をベースバンド信号に周波数変換することを中止し、ＧＣＡ１２のＤＣオフセットキャンセル動作時、ローカル回路１７Ａのスイッチ２４をオフ状態にすることによって、受信信号をベースバンド信号に周波数変換し、それにより、ダイレクトコンバージョン方式の受信回路において、ＤＣオフセットキャンセル動作に要する時間を延ばすこと無く、確実にＤＣオフセットキャンセルを行うことができ、本実施形態に係る受信回路を無線通信装置に用いた場合は、ビットエラーレート及びＡ／Ｄ変換器のダイナミックレンジを向上させることができ、信号の受信品質を高めることができる。
【００３６】
第３の実施形態．
図６は、本発明の第３の実施形態に係る受信回路の構成を示すブロック図である。本実施形態に係る受信回路は、図１に示した実施形態１に係る受信回路と比較して、ＲＦＩＣ２０に代えてＲＦＩＣ２０Ｂを備えた点が異なる。ＲＦＩＣ２０Ｂは、図１のＲＦＩＣ２０と比較して、ローカル回路１７に代えてローカル回路１７Ｂを備えた点、及び、ＲＦＩＣコントローラ１９に代えてＲＦＩＣコントローラ１９Ｂを備えた点が異なる。それ以外の点については、本実施形態に係る受信回路は、実施形態１に係る受信回路と同様の構成を有し、同一符号を付した構成要素についての重複した説明は省略する。
【００３７】
図６において、ローカル回路１７Ｂは、図１のローカル回路１７と比較して、局部発振器２１に代えて局部発振器２１Ａを備えた点が異なる。局部発振器２１Ａは、ＲＦＩＣコントローラ１９Ｂからの制御信号Ｓｋに基づいて、分周器２２から出力される局部発振信号の局部発振周波数が局部発振周波数ｆ１と局部発振周波数ｆ２とで選択的に切り替えられるように、発生する局部発振信号の局部発振周波数を選択的に切り替える。局部発振周波数ｆ１は、混合器４においてＬＮＡ３からの受信信号と混合されたときに混合後の信号がベースバンド信号となるように設定され、局部発振周波数ｆ２は、混合器４においてＬＮＡ３からの受信信号と混合されたときに混合後の信号がベースバンド信号とは異なる帯域となるように設定される。
【００３８】
図７は、図６の受信回路の各部の信号を示すタイミングチャートである。図７において、出力信号Ｓｏｕｔ、電源Ｖｄｄ１及び制御信号Ｓｋ，Ｓｅ，Ｓｆ，Ｓｇ，Ｓｈ，Ｓｉの経時変化が示されている。
【００３９】
図７において、まず、電源Ｖｄｄ１が所定の電圧である状態において、装置コントローラ３０からＲＦＩＣ２０Ｂに入力される制御信号Ｓｉがロウレベルである待機状態からハイレベルである動作状態に変化した後、制御信号Ｓｈがハイレベルとなり、ＤＣオフセットキャンセルコントローラ６のＤＣオフセットキャンセルが動作する。ＤＣオフセットキャンセルコントローラ６は、ＧＣＡ８のＤＣオフセットキャンセル動作をオンにするハイレベルの制御信号Ｓｇを出力し、ＧＣＡ８のＤＣオフセットキャンセル動作終了後、ＧＣＡ１０のＤＣオフセットキャンセル動作をオンにするハイレベルの制御信号Ｓｆを出力する。ＧＣＡ８及び１０のＤＣオフセットキャンセル実行中、ＲＦＩＣコントローラ１９Ｂがロウレベルの制御信号Ｓｋを出力し、分周器２２からは局部発振周波数ｆ２を有する局部発振信号が出力される。このとき、受信信号はベースバンド信号とは異なる帯域に周波数変換されるので、受信信号に含まれる妨害波信号を抑圧する（図８を参照して後述する。）。前段のＧＣＡ８及び１０のＤＣオフセットキャンセルが終了した後、ＲＦＩＣコントローラ１９Ｂがハイレベルの制御信号Ｓｋを出力することにより分周器２２からは局部発振周波数ｆ１を有する局部発振信号を出力される。このとき、受信信号はベースバンド信号に周波数変換され、その後、後段のＧＣＡ１２のＤＣオフセットキャンセル動作をオンにするハイレベルの制御信号Ｓｅを出力する。ＧＣＡ１２のＤＣオフセットキャンセル動作終了後、受信信号の信号処理を開始する。
【００４０】
後段のＧＣＡ１２のＤＣオフセットキャンセル実行時、ＬＮＡ３は、ＤＣオフセットキャンセル実行中は常に動作状態に維持されるので、フロントエンド回路１８の電源Ｖｄｄ１に過渡変動が起こらず、ＤＣオフセット電圧に影響を及ぼすことはない。
【００４１】
図８は、図６のローカル回路１７Ｂの局部発振器２１Ａが切り替え制御されて分周器２２から局部発振周波数ｆ２を有する局部発振信号を出力している場合における、図６の受信回路の各部における妨害波信号の周波数及び電力の関係を示す、妨害波信号のレベルダイヤのイメージ図である。図８において、フロントエンド回路１８への入力信号と、ＬＰＦ７への入力信号と、ＧＣＡ８への入力信号の妨害波信号の周波数及び電力の関係が示されている。ここで、妨害波信号の周波数をｆｉとし、受信したい所望の無線信号の周波数を周波数ｆ１とする。周波数ｆ１と周波数ｆｉとは互いに異なり、局部発振周波数ｆ２は、周波数（ｆｉ−ｆ２）がＬＰＦ７のカットオフ周波数よりも十分高くなるように設定される。図８において、ＧＣＡ８及び１０のＤＣオフセットキャンセル実行中、妨害波信号は混合器４により局部発振周波数ｆ２を有する局部発振信号と混合されて周波数（ｆｉ−ｆ２）を含むベースバンド信号とは異なる帯域に周波数変換されてＬＰＦ７に入力される。例えば、受信信号の周波数が２ＧＨｚであるのに対して、局部発振周波数ｆ２が８００ＭＨｚであるとき、混合器４で周波数変換された後の周波数（ｆｉ−ｆ２）は１．２ＧＨｚとなる。ＬＰＦ７のカットオフ周波数は数百ｋＨｚであるため、ここで妨害波信号は十分に減衰される。従って、ＬＰＦ７及び９により妨害波信号は十分に減衰され、ＧＣＡ８及びＧＣＡ１０のＤＣオフセットキャンセル動作に影響を及ぼさない。
【００４２】
以上説明したように、本実施形態に係る受信回路によれば、ＤＣオフセットキャンセル動作において、ＧＣＡ８及びＧＣＡ１０のＤＣオフセットキャンセル動作時、分周器２２から局部発振周波数ｆ２を有する局部発振信号が出力されるように局部発振器２１Ａの局部発振周波数を切り替えることによって、受信信号をベースバンド信号に周波数変換することを中止し、ＧＣＡ１２のＤＣオフセットキャンセル動作時、分周器２２から局部発振周波数ｆ１を有する局部発振信号が出力されるように局部発振器２１Ａの局部発振周波数を切り替えることによって、受信信号をベースバンド信号に周波数変換し、それにより、ダイレクトコンバージョン方式の受信回路において、ＤＣオフセットキャンセル動作に要する時間を延ばすこと無く、確実にＤＣオフセットキャンセルを行うことができ、本実施形態に係る受信回路を無線通信装置に用いた場合は、ビットエラーレート及びＡ／Ｄ変換器のダイナミックレンジを向上させることができ、信号の受信品質を高めることができる。
【００４３】
第４の実施形態．
図９は、本発明の第４の実施形態に係る受信回路の構成を示すブロック図である。本実施形態に係る受信回路は、図１に示した実施形態１に係る受信回路と比較して、ＲＦＩＣ２０に代えてＲＦＩＣ２０Ｃを備えた点が異なる。ＲＦＩＣ２０Ｃは、図１のＲＦＩＣ２０と比較して、ベースバンド回路１３、ローカル回路１７及びフロントエンド回路１８に代えてベースバンド回路１３Ａ、ローカル回路１７Ｃ及びフロントエンド回路１８Ａを備えた点、及び、ＲＦＩＣコントローラ１９に代えてＲＦＩＣコントローラ１９Ｃを備えた点が異なる。それ以外の点については、本実施形態に係る受信回路は、実施形態１に係る受信回路と同様の構成を有し、同一符号を付した構成要素についての重複する説明は省略する。
【００４４】
図９において、フロントエンド回路１８Ａは、図１のフロントエンド回路１８と比較して、ＬＮＡ３に接続された混合器４ａをさらに備えた点が異なる。ローカル回路１７Ｃは、互いに異なる周波数を有する局部発振信号を発生して出力する局部発振器２１Ｂ及び２１Ｃと、分周器２２Ａ及び２２Ｂと、ローカル増幅器２３Ａ及び２３Ｂと、ＲＦＩＣコントローラ１９Ｃからの制御信号Ｓｌに基づいて局部発振器２１Ｂ及び２１Ｃの各出力信号のうちいずれか一方を選択するためのスイッチ２５Ａ及び２５Ｂとを備える。局部発振器２１Ｃにより発生されて出力される局部発振信号の局部発振周波数は、分周器２２Ａ又は２２Ｂにより分周されたとき局部発振周波数ｆ１１を有する局部発振信号が得られるように設定され、局部発振器２１Ｂにより発生されて出力される局部発振信号の局部発振周波数は、分周器２２Ａ又は２２Ｂにより分周されたとき局部発振周波数ｆ１２を有する局部発振信号が得られるように設定される。
【００４５】
ベースバンド回路１３Ａは、図１のベースバンド回路１３と比較して、混合器４ａに接続され、それぞれ差動動作しかつ互いに多段接続されたＬＰＦ７ａ、ＧＣＡ８ａ、ＬＰＦ９ａ、ＧＣＡ１０ａ、ＬＰＦ１１ａ及びＧＣＡ１２ａをさらに備えた点が異なる。ＬＰＦ７ａ、ＧＣＡ８ａ、ＬＰＦ９ａ、ＧＣＡ１０ａ、ＬＰＦ１１ａ及びＧＣＡ１２ａは、それぞれＬＰＦ７、ＧＣＡ８、ＬＰＦ９、ＧＣＡ１０、ＬＰＦ１１及びＧＣＡ１２と同様に動作し、ＧＣＡ８ａ，１０ａ，１２ａは、ＧＣＡ８，１０，１２と同様に、それぞれＤＣオフセットキャンセルコントローラ６からの制御信号Ｓｇ，Ｓｆ，ＳｅによりＤＣオフセットキャンセル動作のオン及びオフを制御される。
【００４６】
ＲＦＩＣコントローラ１９Ｃは、装置コントローラ３０からの制御信号Ｓｉに基づいて、ＤＣオフセットキャンセルコントローラ６のＤＣオフセットキャンセル動作を制御する制御信号Ｓｈと、ローカル回路１７Ｃのスイッチ２５Ａ及び２５Ｂを制御する制御信号Ｓｌとを発生して出力する。
【００４７】
ここで、図９の受信回路において、混合器４、ＬＰＦ７、ＧＣＡ８、ＬＰＦ９、ＧＣＡ１０、ＬＰＦ１１及びＧＣＡ１２によって構成される経路と、混合器４ａ、ＬＰＦ７ａ、ＧＣＡ８ａ、ＬＰＦ９ａ、ＧＣＡ１０ａ、ＬＰＦ１１ａ及びＧＣＡ１２ａによって構成される経路とは、それぞれ互いに異なる第１及び第２の無線受信方式で使用される。例えば、第１の無線受信方式において、受信したい信号の周波数を周波数ｆ１１とする場合、混合器４、ＬＰＦ７、ＧＣＡ８、ＬＰＦ９、ＧＣＡ１０、ＬＰＦ１１及びＧＣＡ１２によって構成される経路が使用される。このとき、スイッチ２５Ａ及び２５Ｂが接点ａ側に切り替えられて分周器２２Ａから局部発振周波数ｆ１１を有する局部発振信号が出力されるとき、ＬＮＡ３からの受信信号は混合器４によりベースバンド信号に周波数変換されて出力端子Ｔｏ１及びＴｏ２を介して出力信号Ｓｏｕｔが得られる一方、スイッチ２５Ａ及び２５Ｂが接点ｂ側に切り替えられて分周器２２Ａから局部発振周波数ｆ１２を有する局部発振信号が出力されるとき、ＬＮＡ３からの受信信号は混合器４によりベースバンド信号とは異なる帯域に周波数変換される。
【００４８】
また、第２の無線受信方式において、受信したい信号の周波数を周波数ｆ１２とする場合、混合器４ａ、ＬＰＦ７ａ、ＧＣＡ８ａ、ＬＰＦ９ａ、ＧＣＡ１０ａ、ＬＰＦ１１ａ及びＧＣＡ１２ａによって構成される経路が使用される。このとき、スイッチ２５Ａ及び２５Ｂが接点ａ側に切り替えられて分周器２２Ｂから局部発振周波数ｆ１１を有する局部発振信号が出力されるとき、ＬＮＡ３からの受信信号は混合器４ａによりベースバンド信号とは異なる帯域に周波数変換される一方、スイッチ２５Ａ及び２５Ｂが接点ｂ側に切り替えられて分周器２２Ｂから局部発振周波数ｆ１２を有する局部発振信号が出力されるとき、ＬＮＡ３からの受信信号は混合器４ａによりベースバンド信号に周波数変換されて出力端子Ｔｏ３及びＴｏ４を介して出力信号Ｓｏｕｔが得られる。従って、本実施形態に係る受信回路では、２つの無線受信方式により選択的に２つの異なる周波数ｆ１１及びｆ１２を有する受信信号を受信可能である。以下、説明を簡易にするため、受信したい信号の周波数が周波数ｆ１１である場合について説明する。
【００４９】
図１０は、図９の受信回路の各部の信号を示すタイミングチャートである。図１０において、出力信号Ｓｏｕｔ、電源Ｖｄｄ１及び制御信号Ｓｌ，Ｓｅ，Ｓｆ，Ｓｇ，Ｓｈ，Ｓｉの経時変化が示されている。
【００５０】
図１０において、まず、電源Ｖｄｄ１が所定の電圧である状態において、装置コントローラ３０からＲＦＩＣ２０Ｃに入力される制御信号Ｓｉがロウレベルである待機状態からハイレベルである動作状態に変化した後、制御信号Ｓｈがハイレベルとなり、ＤＣオフセットキャンセルコントローラ６のＤＣオフセットキャンセルが動作する。ＤＣオフセットキャンセルコントローラ６は、ＧＣＡ８のＤＣオフセットキャンセル動作をオンにするハイレベルの制御信号Ｓｇを出力し、ＧＣＡ８のＤＣオフセットキャンセル動作終了後、ＧＣＡ１０のＤＣオフセットキャンセル動作をオンにするハイレベルの制御信号Ｓｆを出力する。ＧＣＡ８，１０のＤＣオフセットキャンセル実行中、ＲＦＩＣコントローラ１９Ｃは、ロウレベルの制御信号Ｓｌを出力することによりスイッチ２５Ａ及び２５Ｂを接点ｂ側に制御することにより、受信信号をベースバンド信号とは異なる帯域に周波数変換するように制御し、受信信号に含まれる妨害波信号を抑圧する（図１１を参照して後述する。）。前段のＧＣＡ８，１０のＤＣオフセットキャンセルが終了した後、ＲＦＩＣコントローラ１９Ｃは、ハイレベルの制御信号Ｓｌを出力することによりスイッチ２５Ａ及び２５Ｂを接点ａ側に制御して受信信号をベースバンド信号に周波数変換するように制御し、その後、後段のＧＣＡ１２のＤＣオフセットキャンセル動作をオンにするハイレベルの制御信号Ｓｅを出力する。ＧＣＡ１２のＤＣオフセットキャンセル動作終了後、受信信号の信号処理を開始する。
【００５１】
後段のＧＣＡ１２のＤＣオフセットキャンセル実行時、ＬＮＡ３は、ＤＣオフセットキャンセル実行中は常に動作状態に維持され、フロントエンド回路１８Ａの電源Ｖｄｄ１に過渡変動が起こらず、ＤＣオフセット電圧に影響を及ぼすこともない。
【００５２】
図１１は、図９のローカル回路１７Ｃのスイッチ２５Ａ及び２５Ｂが切り替え制御されて分周器２２Ａ及び２２Ｂから局部発振周波数ｆ１２を有する局部発振信号を出力している場合における、図９の受信回路の各部における妨害波信号の周波数及び電力の関係を示す、妨害波信号のレベルダイヤのイメージ図である。図１１において、フロントエンド回路１８Ａへの入力信号と、ＬＰＦ７への入力信号と、ＧＣＡ８への入力信号の妨害波信号の周波数及び電力の関係が示されている。ここで、妨害波信号の周波数をｆｉとし、２つの無線受信方式でそれぞれ受信したい信号の周波数を周波数ｆ１１及びｆ１２とする。周波数ｆ１１及びｆ１２と周波数ｆｉとは互いに異なる。図１１において、ＧＣＡ８，１０のＤＣオフセットキャンセル実行中、妨害波信号は混合器４により局部発振周波数ｆ１２を有する局部発振信号と混合されて周波数（ｆｉ−ｆ１２）を含むベースバンド信号とは異なる帯域に周波数変換されてＬＰＦ７に入力される。従って、ＬＰＦ７及び９により妨害波信号は十分に減衰され、ＧＣＡ８及びＧＣＡ１０のＤＣオフセットキャンセル動作に影響を及ぼさない。
【００５３】
以上説明したように、本実施形態に係る受信回路によれば、ダイレクトコンバージョン方式の受信回路において、２つの異なる周波数ｆ１１及びｆ１２を有する受信信号を受信可能であるとともに、ＧＣＡ８，１０又はＧＣＡ８ａ，１０ａのＤＣオフセットキャンセル動作時とＧＣＡ１２又はＧＣＡ１２ａのＤＣオフセットキャンセル動作時とでスイッチ２５Ａ及び２５Ｂを切り替えるので、ＤＣオフセットキャンセル動作に要する時間を延ばすこと無く、確実にＤＣオフセットキャンセルを行うことができ、本実施形態に係る受信回路を無線通信装置に用いた場合は、ビットエラーレート及びＡ／Ｄ変換器のダイナミックレンジを向上させることができ、信号の受信品質を高めることができる。
【００５４】
なお、本実施形態において、ローカル回路１７Ｃは互いに異なる周波数を有する局部発振信号を発生して出力する局部発振器２１Ｂ及び２１Ｃと、ＲＦＩＣコントローラ１９Ｃからの制御信号Ｓｌに基づいて局部発振器２１Ｂ及び２１Ｃの各出力信号のうちいずれか一方を選択するためのスイッチ２５Ａ及び２５Ｂとを備えた。しかし、本発明はこの構成に限らず、局部発振器２１Ｂ及び２１Ｃ及びスイッチ２５Ａ及び２５Ｂに代えて、ＲＦＩＣコントローラ１９Ｃからの制御信号Ｓｌに基づいて異なる周波数を有する局部発振信号を発生して分周器２２Ａ及び２２Ｂに出力する局部発振器を備えてもよい。
【００５５】
また、第１乃至第４の実施形態において、複数のＧＣＡのうちＧＣＡ８及び１０を前段のＧＣＡとし、最終段のＧＣＡ１２を後段のＧＣＡとして、ＤＣオフセットキャンセルコントローラ６によりＤＣオフセットキャンセル動作を制御している。しかしながら、本発明はこれに限らず、複数のＧＣＡのうちＧＣＡ８を前段のＧＣＡとし、ＧＣＡ１０及び１２を後段のＧＣＡとしてＤＣオフセットキャンセルコントローラ６によりＤＣオフセットキャンセル動作を制御してもよい。
【産業上の利用可能性】
【００５６】
本発明に係る受信回路及びそれを備えた半導体装置、半導体モジュール並びに無線通信装置によれば、前段の利得制御増幅器の直流オフセットキャンセル動作中、ローカル回路を制御することによって受信信号をベースバンド信号に周波数変換することを中止する一方、後段の利得制御増幅器の直流オフセットキャンセル動作中、ローカル回路を制御することによって受信信号をベースバンド信号に周波数変換する制御手段を備えたので、ダイレクトコンバージョン方式の受信回路において、ＤＣオフセットキャンセル動作に要する時間を延ばすこと無く、確実にＤＣオフセットキャンセルを行うことができる。
【００５７】
本発明に係る受信回路及びそれを備えた半導体装置、半導体モジュール並びに無線通信装置は、例えば携帯電話等の無線端末装置に利用することができる。
【図面の簡単な説明】
【００５８】
【図１】本発明の第１の実施形態に係る受信回路の構成を示すブロック図である。
【図２】図１の受信回路の各部の信号を示すタイミングチャートである。
【図３】図１及び図４の受信回路の各部における妨害波信号の周波数及び電力の関係を示す、妨害波信号のレベルダイヤのイメージ図である。
【図４】本発明の第２の実施形態に係る受信回路の構成を示すブロック図である。
【図５】図４の受信回路の各部の信号を示すタイミングチャートである。
【図６】本発明の第３の実施形態に係る受信回路の構成を示すブロック図である。
【図７】図６の受信回路の各部の信号を示すタイミングチャートである。
【図８】図６の受信回路の各部における妨害波信号の周波数及び電力の関係を示す、妨害波信号のレベルダイヤのイメージ図である。
【図９】本発明の第４の実施形態に係る受信回路の構成を示すブロック図である。
【図１０】図９の受信回路の各部の信号を示すタイミングチャートである。
【図１１】図９の受信回路の各部における妨害波信号の周波数及び電力の関係を示す、妨害波信号のレベルダイヤのイメージ図である。
【図１２】図１の受信回路を備えた無線通信装置の構成を示すブロック図である。
【符号の説明】
【００５９】
１…アンテナ、
２…ＳＡＷフィルタ、
３…低雑音増幅器（ＬＮＡ）、
４，４ａ…混合器、
６，６Ａ…直流（ＤＣ）オフセットキャンセル制御部、
７，９，１１，７ａ，９ａ，１１ａ…低域通過フィルタ（ＬＰＦ）、
８，１０，１２，８ａ，１０ａ，１２ａ…利得制御増幅器（ＧＣＡ）、
１３，１３Ａ…ベースバンド回路、
１７，１７Ａ，１７Ｂ，１７Ｃ…ローカル回路、
１８，１８Ａ…フロントエンド回路、
１９，１９Ａ，１９Ｂ，１９Ｃ…無線周波集積回路（ＲＦＩＣ）コントローラ、
２０，２０Ａ，２０Ｂ，２０Ｃ…無線周波集積回路（ＲＦＩＣ）、
２１，２１Ａ，２１Ｂ，２１Ｃ…局部発振器、
２２…分周器、
２３…ローカル増幅器、
２４，２５…スイッチ、
３０…装置コントローラ、
４０…デュプレクサ、
４１…電力増幅器、
４２…フィルタ、
４３…利得制御増幅器、
４４，４５…混合器、
４６…送信ローカル回路、
４７…送信ベースバンド処理回路。
【図１】
2009033394.tif 000003
【図２】
2009033394.tif 000004
【図３】
2009033394.tif 000005
【図４】
2009033394.tif 000006
【図５】
2009033394.tif 000007
【図６】
2009033394.tif 000008
【図７】
2009033394.tif 000009
【図８】
2009033394.tif 000010
【図９】
2009033394.tif 000011
【図１０】
2009033394.tif 000012
【図１１】
2009033394.tif 000013
【図１２】
2009033394.tif 000014